(57)【要約】  水管理嵌合インターフェースを有するモジュール式筐体は、ほとんど基本的に、さまざまな戦略的に位置付けられた構造およびギャップを介して水を方向づけ、それを遮断する機械的接続を含む。基本的な構成の一つは、少なくとも一つの端面を有する基部と、端面から延びる周辺部とを含む。周辺部は、外側に突出するリップを含む。複数のリテーナは、リップの下の基部に固定される。リテーナおよびリップは、基部の各側面の少なくとも一部に沿って延びるチャネルを画定する。底縁部および底縁部から間隔を置いた内側に突出するフランジで終結する長軸方向の側面を有するドームは、ドームを基部に保持するためにチャネル内のフランジによって受けられる。【選択図】図１Ａ
2021500699.tif 000002
【特許請求の範囲】
【請求項１】
少なくとも一つの端面および前記端面から延びる周辺部を有する基部であって、前記周辺部は外側に突出するリップを含む、基部と、
前記リップの下の前記基部に固定された複数のリテーナであって、前記リテーナおよび前記リップが前記基部の各側面の少なくとも一部に沿って延びるチャネルを画定する、複数のリテーナと、
長軸方向の側面を有するドームであって、それぞれの側面が底縁部および、前記底縁部から間隔を置いた内側に突出するフランジで終結する、ドームと、
を含み、
前記フランジが前記チャネル内に受けられ、前記ドームを前記基部に保持する、警告ライト筐体。
【請求項２】
各々の前記リテーナが、前記リップと実質的に垂直で前記リップの底面から離間する境界部を含み、空洞を画定する、請求項１に記載の警告ライト筐体。
【請求項３】
前記チャネルが前記リップと前記リテーナの間の高さを有し、前記高さが０．５ミリメートルより大きい、請求項１に記載の警告ライト筐体。
【請求項４】
外側に突出するリップを有する基部と、
内側に突出するフランジおよび前記フランジの下に延びる底縁部を含む、少なくとも一つの前記基部の上方に位置付けられたドームと、
境界部を有する複数のリテーナであって、前記基部に固定され、前記リップと前記境界部の間のチャネルを画定する複数のリテーナと、
を含み、
各フランジは、前記チャネル内に受けられ、前記フランジが、前記リップと表面間関係に係合し、前記境界部が、前記底縁部と表面間関係に係合される、ライトバー筐体。
【請求項５】
フランジおよび前記リップの前記表面間関係が、前記境界部と前記底縁部の前記表面間関係に垂直である、請求項４に記載のライトバー筐体。
【請求項６】
前記基部が、一対の端部基部の間に隣接して位置付けられた複数の中間基部を含む、請求項４に記載のライトバー筐体。
【請求項７】
前記基部の前記リップが、上部上にダムおよび下部上にスロットを含む、請求項４に記載のライトバー筐体。
【請求項８】
前記フランジが前記スロットを閉鎖してドレン経路を形成し、前記ドレン経路が前記ダムと連通する、請求項７に記載のライトバー筐体。
【請求項９】
前記基部が、並列配置に配置された複数の基部を含み、前記基部が各基部間の接合部を画定し、前記接合部が前記ダムと連通する、請求項７に記載のライトバー筐体。
【請求項１０】
前記基部が、並列配置に配置された複数の基部を含み、前記基部が各基部間の接合部を画定し、前記リテーナが各リテーナ間の通路を画定し、前記接合部が各々の通路から長軸方向にオフセットされる、請求項４に記載のライトバー筐体。
【請求項１１】
前記中間基部が、一対の舌部を有する端面および一対の溝を有する端面を含み、前記舌部および前記溝が対応する中間基部または端部基部とインターロックする、請求項６に記載のライトバー筐体。
【請求項１２】
各リテーナの底部が、複数の排水穴を画定する、請求項４に記載のライトバー筐体。
【請求項１３】
警告ライト組立品のための筐体を製造する方法であって、
外側に突出するリップを有する基部を設けることと、
複数のリテーナを前記基部に固定して前記基部と前記リテーナとの間のチャネルを画定することと、
ドームを前記基部の上方に位置付けることであって、前記ドームが底縁部および前記底縁部から間隔を置いた内側に突出するフランジで終結するように、位置付けることと、
を含み、
前記フランジが、前記ドームを前記基部に保持するように前記チャネル内に固定される、方法。
【請求項１４】
複数の基部を並列配置で設ける工程であって、各基部が少なくとも一つの他の隣接する基部とインターロックするように、設ける工程を含む、請求項１２に記載の方法。
【請求項１５】
複数のドームを設け、各ドーム間に仕切りシールを挿入する工程を含む、請求項１２に記載の方法。
【発明の詳細な説明】
【技術分野】
【０００１】
本開示は、警告ライト組立品用の筐体に関する。より具体的には、本開示は、緊急車両に取り付けられたライトバーの形態の警告ライト組立品によって使用される筐体に関する。
【背景技術】
【０００２】
ライトバーは、太陽光、風、雨、氷、塩、雪、泥などの要素に晒される環境で使用される。要素への暴露から適切に保護されていない場合、ライトバーの内部構成要素は損傷を受けやすい。結果として、ライトバーは典型的に、内部構成要素を保護するために実質的に密封された細長い空洞を画定するように構成される。また、車両搭載のライトバーは、ハウジングのシーリングにとって問題となる風の高速度、衝撃、振動、および極端な温度に曝される。
【０００３】
従来技術のライトバーは、異なる長さおよび色の組み合わせの製品が組み立てられ、密封された周辺部および密封された仕切りによって結合された相補的なドームを有する単体の基部を形成するように組み立てられたモジュール式アプローチを用いてきた。これらの組立品は商業的および技術的に成功しているが、製造および組立が高価であり、動作が困難であり、経年で、ドームと周辺部の間のシールが漏れる傾向がある。
【０００４】
水が警告ライト組立品に入ることから遮断し、水が組立品を出るための経路を提供し、実施するのにコスト効果が高い筐体の新しい水管理技術およびアプローチに対するニーズがある。
【発明の概要】
【０００５】
水管理嵌合インターフェースを備えたモジュール式筐体（以下、「ライトバー筐体」）は、最も基本的に、さまざまな戦略的に位置付けられた構造およびギャップを介して水を方向づけ、遮断するライトバー筐体の周辺部で作られた機械的接続を含む。ライトバー筐体は、筐体の周りの空気流によって作成される重力およびベンチュリの様な効果を利用するように配置されている。
【０００６】
ライトバー筐体の一つの基本的な構成は、少なくとも一つの端面および端面から延びる周辺部を有する基部を含む。周辺部は、外側に突出するリップを含む。複数のリテーナは、リップの下の基部に固定される。リテーナおよびリップは、基部の各側面の少なくとも一部に沿って延びるチャネルを画定する。ライトバー筐体は、底縁部および底縁部から間隔を置いた内側に突出するフランジで終結する長軸方向の側面を有するドームによって囲まれる。フランジは、ドームを基部に保持するためにチャネル内に受けられる。
【０００７】
ライトバー筐体の各リテーナは、リップに実質的に垂直な境界部を含み、リップの底面から間隔を置いてドレン空洞を画定する。上述の配置では、フランジはリップと表面間関係に係合し、境界部は底縁部と表面間関係にある。一つの実施形態では、フランジとリップの表面間関係は、境界部と底縁部の表面間関係に実質的に垂直である。
【０００８】
一つの実施形態において、並列配置に位置する複数のモジュール基部がある。この構成では、接合部は各基部間に画定される。各リテーナの間に通路が画定される。接合部は、各通路から長軸方向にオフセットされて、ライトバー筐体に入る水を遮断し、水がライトバー筐体を抜け出る経路を提供する。
【０００９】
一つの実施形態は、警告ライト組立品を製造する方法を含む。方法は、外側に突出するリップを有する基部を設けることを含む。基部とリテーナとの間のチャネルを画定するために、複数のリテーナが基部に固定される。ドームは基部の上に位置付けられる。ドームは底縁部および底縁部から間隔を置いた内側に突出するフランジで終結する。フランジは、ドームを基部に保持するためにチャネル内に固定されている。
【００１０】
好ましい実施形態の態様は、図面を参照しながら説明するが、ここで類似の数字は類似の要素を反映する。
【図面の簡単な説明】
【００１１】
【図１Ａ】本開示の態様による、ライトバー（以下、「ライトバー筐体」）の形態の水管理嵌合インターフェースを有する代表的モジュール式筐体の斜視図である。
【図１Ｂ】図１Ａのライトバー筐体の斜視分解図である。
【図２Ａ】図１Ａのライトバー筐体内の基部組立品の一部である端部基部の斜視図である。
【図２Ｂ】図１Ａのライトバー筐体における基部組立品の一部である中間基部の斜視図である。
【図２Ｃ】図２Ａの端部基部の左端面図である。
【図３Ａ】図１Ａにおけるライトバー筐体の基部組立品をインターロックするために使用される、図２Ａの端部基部の舌部を強調する部分斜視図である。
【図３Ｂ】図１Ａにおけるライトバー筐体の基部組立品をインターロックするために使用される図２Ａの中間基部の溝を強調する部分斜視図である。
【図４】図１Ａのライトバー筐体の斜視断面図である。
【図５】図１Ａのライトバー筐体の基部組立品を支持および接続するためのスパインの斜視図である。
【図６】図１Ａのライトバー筐体における基部組立品に固定されたリテーナ組立品を強調する部分正面図である。
【図７Ａ】図１Ａのライトバー筐体のリテーナ組立品からのサイドリテーナの斜視図である。
【図７Ｂ】図１Ａのライトバー筐体のリテーナ組立品からのコーナーリテーナの斜視図である。
【図７Ｃ】図１Ａのライトバー筐体のリテーナ組立品からのエンドキャップリテーナの斜視図である。
【図８】図１Ａのライトバー筐体からのドーム組立品を強調する部分斜視図である。
【図９Ａ】図１Ａのライトバー筐体からのシール組立品の斜視図である。
【図９Ｂ】図９Ａのシール組立品からの仕切りの斜視図である。
【図９Ｃ】図９Ａのシール組立品からの一対のシールの斜視図である。
【図１０】図１Ａのライトバー筐体からの中間基部、サイドリテーナ、ドームの間の接続を強調する部分断面図である。
【図１１】ライトバー筐体図１Ａの中間基部、サイドリテーナ、およびドームの間の接続を強調する部分断面図である。
【発明を実施するための形態】
【００１２】
水管理嵌合インターフェースを備えたモジュール式筐体は、ライトバーとして当該技術分野で知られている警告ライト組立品の文脈において例示されるサブ組立品である（以下、「ライトバー筐体」）。ライトバーの内部構成要素は、２００７年３月１４日に出願された米国特許出願第１１／７２４，３７１号に完全に記載され、その内容は参照により本明細書に組み込まれる。ライトバーの内部構成要素のほとんどは開示されたライトバー筐体に直接関連していないため、図から省略される。
【００１３】
ここで、本開示の態様によるライトバー筐体の一つの実施形態を図１Ａ〜１１を参照しながら説明する。ライトバー筐体は一般に、参照番号１０によって言及される。さまざまな材料、構造の方法、製造方法、および締結方法は、開示された実施形態の文脈で検討される。当業者であれば、本開示の実施形態と適合性がありかつ添付の請求項に包含されることが意図されている材料、製造方法、および締結方法について既知の置換を認識するであろう。
【００１４】
ライトバー筐体１０の一つの目的は、水分からライトバーの電気的および光学的構成要素を保護するために使用されるシールの量を減少させることである。開示されたライトバー筐体１０は、外周からのドレン水をライトバーの内部構成要素から離れて遮断・排出するように設計された戦略的に位置付けられた構造およびギャップを組み込む。開示されたライトバー筐体１０の別の目的は、ライトバーの組立品の自動化を促進することである。前述の構造および関係は、ライトバーの筐体の状況で考察されるが、当業者は、開示された構造および関係が、水が内部に入るのを防止することが望ましい一般的な筐体にも適用できることを認識している。
【００１５】
一つの実施形態に関連して図１Ａおよび１Ｂに示すように、ライトバー筐体１０は、ライトバーの電気的および光学的構成要素のためのハウジングの一部として機能するプラスチックモジュール基部組立品２０を含む。押し出されたアルミニウムスパイン４０は、基部組立品２０の下に延び、かつ基部組立品２０を接続する。リテーナ組立品８０は、基部組立品２０の周辺部に固定され、周辺チャネル１２０を形成する（図６参照）。プラスチックドーム組立品６０は、チャネル１２０内に受け入れられ、ライトバーを囲んで、基部組立品２０とともにハウジングの内部を画定する。一般的に、ライトバー筐体１０は、基部組立品２０の上方に位置付けられたドーム組立品６０を有する長手方向軸に沿って水平方向配向されたに組立品のために図示され、説明されている。
【００１６】
図１Ｂを参照すると、基部組立品２０は、第一および第二の端部基部３２ａ、３２ｂの間の並列配置において隣接して配置された四つの中間基部（３０ａ、３０ｂ、３０ｃ、３０ｄ）から成る。図２Ａ〜３Ｂに示すように、各中間基部（３０ａ、３０ｂ、３０ｃ、３０ｄ）は、対向する端面における嵌合インターフェースおよび各端面の間に延びる周辺部における嵌合インターフェースを含む。各端部基部３２ａ、３２ｂは、一方の端面およびその端面から延びる周辺部における嵌合インターフェースを含む。嵌合インターフェースは、相補的に隣接した嵌合インターフェースでインターロックされ、単体の基部組立品２０を形成する。基部組立品２０の周辺部における嵌合インターフェースは、ドーム組立品６０およびリテーナ組立品８０と嵌合するように構成される。基部組立品２０のインターロックに際して、接合部３１（図６参照）は、各隣接する中間基部（３０ａ、３０ｂ、３０ｃ、３０ｄ）の間と中間基部３０ａ、３０ｂと端部基部３２ａ、３２ｂとの間に画定される。
【００１７】
図２Ａ〜２Ｃを参照すると、各中間基部（３０ａ、３０ｂ、３０ｃ、３０ｄ）の下側は、各中間基部（３０ａ、３０ｂ、３０ｃ、３０ｄ）の全長にわたる長軸方向に延びる凹部２２ａを画定する。各端部基部３２ａ、３２ｂの下側は、各端部基部３２ａ、３２ｂの長さの半分以上にわたる長軸方向に延びる凹部２２ｂを画定する。各凹部２２ａ、２２ｂは、スパイン４０を受けるように構成される。中間基部２２ａ内の各凹部および端部基部２２ｂの各凹部は、スパイン４０と嵌合するために、それぞれ長軸方向に延び横方向に間隔を置く一対のスリット２３ａ、２３ｂをそれぞれ含む。図４に示す通り、複数のＦａｓｔｅｘ（登録商法）スクリューグロメット２５は、スパイン４０と係合するために、各凹部２２ａ、２２ｂの中へと下向きに延長する。
【００１８】
図４、１０、および１１に示されるように、各中間基部（３０ａ、３０ｂ、３０ｃ、３０ｄ）および各端部基部３２ａ、３２ｂの下側は、外側に突出するリップ２６に至る傾斜した周辺面２４を含む。それぞれのリップ２６は、ライトバー筐体１０の組立に伴い、各リップ２６とドーム組立品６０との間のドレン経路３３を形成するための下部にスロット２８を画定する。ダム２７は、基部組立品２０の周辺部で水を阻止するために、各リップ２６の上部に沿って延びる。ダム２７は、各々の中間基部（３０ａ、３０ｂ、３０ｃ、３０ｄ）の端部および各端部基部３２ａ、３２ｂの内側端部において広がり、基部組立品２０がインターロックされた時に形成された各対応する接合部３１を囲む水貯蔵部２９を形成する。各接合部３１は、各対応するスロット２８と連通する。各貯蔵部２９内で水が収集されると、対応する接合部３１は、水がハウジングから出るための対応するドレン経路３３への開口を提供する。
【００１９】
図２Ａ〜３Ｂに示すように、各中間基部（３０ａ、３０ｂ、３０ｃ、３０ｄ）の嵌合インターフェースは、一対のインターロック可能な舌部３４を有する各中間基部（３０ａ、３０ｂ、３０ｃ、３０ｄ）の端面の端面と、舌部３４に相補的な一対の溝３６を画定する各々の中間基部（３０ａ、３０ｂ、３０ｃ、３０ｄ）の対向する端面とを含む。第一の端部基部３２ａは、第一の中間基部３０ａによって画定される対応する溝３６とインターロックするための一対の舌部３４を含む。第二の端部基部３２ｂは、第二の中間基部３０ｂ上に含まれる対応する舌部３４とインターロックするための一対の溝３６を画定する。第一の中間基部３０ａの舌部３４は、第三の中間基部３０ｃによって画定される対応する溝３６とインターロックする。第二の中間基部３０ｂによって画定される溝３６は、第四の中間基部３０ｄの舌部３４とインターロックし、第四の中間基部３０ｄの溝３６は、第三の中間基部３０ｃの舌部３４とインターロックする。この配置では、基部組立品２０は、ハウジングの単一のインターロックされた部分を形成する。
【００２０】
図４および５に示すように、スパイン４０は、各々の中間基部（３０ａ、３０ｂ、３０ｃ、３０ｄ）および各々の端部基部３２ａ、３２ｂの下側に画定される各凹部２２ａ、２２ｂに位置する支持部材として機能する。ライトバー筐体１０が完全に組み立てられると、スパイン４０は基部組立品２０を長軸方向に延び、各端部基部３２ａ、３２ｂの外側端に隣接した点で終了する。スパイン４０は、基部組立品２０内のスリット２３ａ、２３ｂと嵌合するように構成された一対の強化リブ４４を有するプラットフォーム４２を含む。リブ４４は、プラットフォーム４２に対して垂直に上方に突き出し、スパイン４０の全長に沿って長軸方向に延びる。リブ４４は横方向に間隔を置き、互いに平行に走る。基部組立品２０から突き出たグロメット２５を受けるために、長軸方向に延びるトラック４６は、各リブ４４の横方向外側に画定される。下からファスナーヘッドを収容するために、長軸方向に延びる弧状のトラック５０は、各リブ４４の横方向内側に画定される。
【００２１】
図１Ｂおよび６に示すように、リテーナ組立品８０は、基部組立品２０の下側の対応する傾斜した周辺面２４に固定するように構成されている。図７Ａ〜７Ｃを参照すると、リテーナ組立品８０は、中間基部（３０ａ，  ３０ｂ，  ３０ｃ，  ３０ｄ）の対向する側面および端部基部３２ａ、３２ｂの対向する側面に固定するための複数のサイドリテーナ８２ａ、端部基部３２ａ、３２ｂの対向する側面および対向するコーナーに固定するためのコーナーリテーナ８２ｂ、並びに端部基部３２ａ、３２ｂの外側端に固定するためのエンドキャップリテーナ８２ｃを含む。図１Ｂおよび図６に示すように、リテーナ組立品８０は、並列配置で基部組立品２０に固定される。組立時に、通路２１は各々の隣接するリテーナ（８２ａ、８２ｂ、８２ｃ）の間に形成される。隣接するリテーナ（８２ａ、８２ｂ、８２ｃ）の間の各通路２１は、基部組立品２０によって画定される接合部３１から長軸方向にオフセットされ、ハウジングへの上向きの水の移動を遮断する。ライトバー筐体１０が組み立てられると、接合部３１、ドレン経路３３、および通路２１は、重力およびベンチュリの様な効果によって水をハウジングから下向きに移動する経路を提供する。
【００２２】
開示された実施形態では、十個のサイドリテーナ８２ａ、四つのコーナーリテーナ８２ｂおよび二つのエンドキャップリテーナ８２ｃがある。図７Ａ〜７Ｃ、１０および１１に示されるように、各リテーナ（８２ａ、８２ｂ、８２ｃ）は、シート８８に至る境界部８７を含む。図６、１０および１１に示すように、リテーナ組立品８０が基部組立品２０に固定された時、各リップ２６と各々のシート８８との間の間隔を置いた関係は、ドーム組立品６０を受けるための周辺チャネル１２０を画定する。チャネル１２０は０．５ミリメートルを超える高さを有する。空洞８９は、基部組立品２０の各境界部８７と傾斜した周辺面２４との間に水収集用に画定される。
【００２３】
図６〜７Ｃに示すように、サイドリテーナ８２ａおよびコーナーリテーナ８２ｂは、ドーム組立品６０を摺動可能に受け入れて案内するノッチ９０と、基部組立品２０の対応する穴を通して挿入されるファスナーを受けるためのボス９２とを含む。各コーナーリテーナ８２ｂの境界部８７は、ドーム組立品６０を受け入れて案内するための各ノッチ９０に延在する入口８３を画定する。各コーナーリテーナ８２ｂは、複数の水排水スパウト８５を画定する内側リム８１を含む。ライトバー筐体１０が組み立てられると、各空洞８９は、スパウト８５と、通路２１と、ドレン経路３３と、接合部３１と連動して、ライトバー筐体１０から水を排出する。図７Ａ〜７Ｃに示すように、水は、空洞８９と流体連通している各リテーナ（８２ａ、８２ｂ、８２ｃ）の下側に複数の水排水穴９４を通して排出される。
【００２４】
図１Ａおよび図１Ｂを参照すると、ドーム組立品６０は、二つの端部ドーム７０ｂの間に隣接して配置された中間ドーム７０ａから成る。各ドーム７０ａおよび７０ｂは、各中間基部（３０ａ、３０ｂ、３０ｃ、３０ｄ）および各端部基部３２ａ、３２ｂのリップ２６に重なるように構成された周辺壁６２に延びる段付き上部部分を含む。各周辺壁６２は、リテーナ組立品８０と基部組立品２０の間に受けられる内側に突出するフランジ６４まで下向きに延びる。各周辺壁６２は、各フランジ６４から離間し、その下に間隙を介した底縁部６５まで延びる。図１０および１１に示すように、組立に伴い、垂直ギャップ６３は、各々の底縁部６５とリテーナ組立品８０の各境界部８７との間の垂直方向の表面間関係の間で画定される。図６に図示した通り、通路２１は、垂直ギャップ６３に隣接し、かつ垂直ギャップ６３と流体連通して画定される。各フランジ６４は、ドーム組立品６０、基部組立品２０、およびリテーナ組立品８０との間の接続を保持および案内するための一連の不連続ビード６６を含む。図６および７Ｂに示すように、コーナーリテーナ８２ｂによって画定される各入口８３は、ビード６６を受けるように構成され、ノッチ９０はビード６６を案内するように構成される。
【００２５】
図８に示すように、ギャップ６８は、中間ドーム７０ａとライトバー筐体１０の長手方向軸を通って横断方向に延在するそれぞれの端部ドーム７０ｂとの間に画定される。図９Ａ〜９Ｃに図示される仕切りシール組立品１００は、中間ドーム７０ａと対応する隣接する端部ドーム７０ｂとの間の各ギャップ６８に及ぶように構成される。各仕切りシール組立品１００は、プラスチック仕切り１０２と、中間ドーム７０ａおよび対応する隣接する端部ドーム７０ｂそれぞれと密封係合するように協働する一対の弾性シール１０４を含む。各仕切り１０２は、一般的にＩ字型であり、実質的に平坦な上部壁、実質的に平坦な底部壁、および上部壁と底部壁を接続する中央壁を含む。壁は、シール１０４を受けるための各仕切り１０２の対向する側面上の一対の平行スロット１０６を画定する。各シール１０４はまた、一般的にＩ字型であり、実質的に平坦な上部壁、実質的に平坦な底部壁、および上部壁と底部壁を接続する内壁を含む。シール１０４の壁は、ドーム７０ａ、７０ｂを受けるためのスロットを画定する。仕切り１０２およびシール１０４は、ドーム７０ａ、７０ｂの段付き上部部分に対して相補的な段付部分を含む。
【００２６】
各仕切り１０２は、対応するシール１０４を保持する。各シール１０４は、対応する平行スロット１０６に嵌合する。この配置では、中間ドーム７０ａは各仕切りシール組立品１００の一方の側に嵌合し、対応する端部ドーム７０ｂは対応する仕切りシール組立品１００の他方の側に嵌合する。各仕切り１０２および各シール１０４は、基部組立品２０の対応するリップ２６と接触するように下部の対抗する端部に切欠部１０８を含む。
【００２７】
図１Ａおよび１Ｂによって図示されるように、組立時に、スパイン４０およびリテーナ組立品８０は固定具２００上に位置付けられる。基部組立品２０は、左から右、端部基部３２ａから端部基部３２ｂまで、各々の中間基部（３０ａ、３０ｂ、３０ｃ、３０ｄ）がそれぞれの間に位置しおよび、各舌部３４が上述のように対応する溝３６とインターロックする状態で、スパイン４０上に配置される。図４に見られるように、基部組立品２０から突き出したグロメット２５は、スパイン４０のトラック４６内に位置付けられる。図６、１０および１１を参照すると、サイドリテーナおよびコーナーリテーナ８２ａ、８２ｂは、基部組立品２０の傾斜した周辺面２４に固定される。ファスナーは基部組立品２０を通って延び、グロメット２５およびリテーナ（８２ａ、８２ｂ、８２ｃ）のボス９２によって受けられる。
【００２８】
図１０および１１に示すように、上述のように、基部組立品２０とリテーナ組立品８０との間の接続は、ドーム組立品６０から突き出た対応するフランジ６４を摺動可能に受けるために、基部組立品２０の各リップ２６とリテーナ組立品８０の各々のシート８８との間の周辺チャネル１２０を形成する。各フランジ６４上のビード６６は、対向するコーナーリテーナ８２ｂの各境界部８７によって画定される入口８３に挿入される。ビード６６は、リテーナ組立品８０の各シート８８の後方に案内されて、チャネル１２０内のドーム７０ａ、７０ｂも案内する一方でドーム組立品６０とチャネル１２０との間の接続を保持する。仕切りシール組立品１００は、各ドーム７０ａ、７０ｂがチャネル１２０内に挿入されるとき、中間ドーム７０ａと対応する各端部ドーム７０ｂの間に位置付けられる。
【００２９】
この配置では、各フランジ６４は、リテーナ組立品８０の境界部８７上に存在する対応するシート８８と、水平の表面間関係で基部組立品２０の対応するリップ２６との間に挟まれる。ドレン経路３３は、各フランジ６４が各フランジ６４と対応するリップ２６との間の水平表面間関係によって、対応するスロット２８を閉鎖にすると形成される。境界部８７は、シート８８と対応する各フランジ６４との間の表面間関係に実質的に垂直なドーム組立品６０の対応する底縁部６５との表面間関係に係合される。接合部３１はドレン経路３３の上方に位置付けられ、これと流体連通し、ドレン経路３３は空洞８９の上の位置に配置され、これと流体連通する。空洞８９は、通路２１および排水穴９４と流体連通する。ドレン経路３３を介して空洞８９内に収集される水は、重力の力および／またはライトバー筐体１０の周りの空気の流れによって生成されるベンチュリの様な効果によって、通路２１および／または排水穴９４を通って抜け出る。接合部３１は通路２１から長軸方向にオフセットされる。この構成は、水がハウジングに入るのを遮断し、ハウジングから出る水を容易にする複数の垂直経路を提供する。
【００３０】
水管理嵌合インターフェースを有する開示されたモジュール式筐体の好ましい実施形態が、例示の目的のために示される一方、前述の説明は、本発明の制限とみなされるべきではない。従って、本開示の精神および特許請求の範囲の範囲から逸脱することなく、当業者にはさまざまな変更、適合、および代替が発生し得る。
【図１Ａ】
2021500699.tif 000003
【図１Ｂ】
2021500699.tif 000004
【図２Ａ】
2021500699.tif 000005
【図２Ｂ】
2021500699.tif 000006
【図２Ｃ】
2021500699.tif 000007
【図３Ａ】
2021500699.tif 000008
【図３Ｂ】
2021500699.tif 000009
【図４】
2021500699.tif 000010
【図５】
2021500699.tif 000011
【図６】
2021500699.tif 000012
【図７Ａ】
2021500699.tif 000013
【図７Ｂ】
2021500699.tif 000014
【図７Ｃ】
2021500699.tif 000015
【図８】
2021500699.tif 000016
【図９Ａ】
2021500699.tif 000017
【図９Ｂ】
2021500699.tif 000018
【図９Ｃ】
2021500699.tif 000019
【図１０】
2021500699.tif 000020
【図１１】
2021500699.tif 000021
【国際調査報告】
2021500699.tif 000022